(57)【要約】【課題】ユーザが印刷を所望するユーザドキュメントとスポンサーによる広告とを同一の記録媒体に記録する記録システムにおいて、記録の品質不良を検出する為のテストパターン出力に対し、記録媒体の浪費を極力抑えることが可能な記録システムを提供する。【解決手段】ユーザドキュメント領域２９と同じ記録媒体１１で、ユーザドキュメント領域２９に先立って広告領域２７を記録し、広告領域２７の内部あるいはこれに隣接した空白領域２８にテストパターンを記録する。【選択図】　　　　図４
2004106415.tif 000002
【特許請求の範囲】
【請求項１】
ユーザが印刷を所望する画像であるユーザドキュメントと広告とを同一の記録媒体に記録する記録システムにおいて、
前記ユーザドキュメントの画像情報を取得するユーザドキュメント取得手段と、
前記広告の画像情報を取得する広告情報取得手段と、
前記記録媒体における前記広告を記録する広告領域と、前記ユーザドキュメントを記録するユーザドキュメント領域とを配置するとともに、前記広告領域の一部あるいは該広告領域に隣接する領域に所定のテストパターンを記録するための空白領域を設定するレイアウト手段と、
前記空白領域に前記所定のテストパターンを記録するテストパターン発生記録手段と
を備えたことを特徴とする記録システム。
【請求項２】
前記テストパターン発生記録手段によって記録された前記所定のテストパターンを読み取るセンサと、該センサによって得られたデータを解析する解析手段と、該解析手段によって解析された内容により前記記録システムの記録時の調整を行う調整手段とをさらに備え、前記ユーザドキュメント領域は、前記調整手段によって前記記録システムの記録時の調整が行われた後に前記記録媒体に記録されることを特徴とする請求項１に記載の記録システム。
【請求項３】
前記記録システムは複数の色のインクを吐出するインクジェット記録ヘッドによって記録を行い、前記解析手段は前記センサによって得られた結果から前記インクジェット記録ヘッドが記録した異なる色間の記録位置のずれ量を検出し、前記調整手段は前記インクジェット記録ヘッドの記録位置を各色単位で補正することを特徴とする請求項２に記載の記録システム。
【請求項４】
前記記録システムは複数の記録素子からインクをそれぞれ吐出する記録素子群を複数の色数分有したインクジェット記録ヘッドであって、前記解析手段は前記センサによって得られた結果から前記インクジェット記録ヘッドの吐出量を色単位あるいは前記記録素子単位で検出し、前記調整手段は前記インクジェット記録ヘッドの吐出量を色単位あるいは前記記録素子単位で補正することを特徴とする請求項２に記載の記録システム。
【請求項５】
前記テストパターン発生記録手段によって記録されたテストパターンを読み取るセンサと、該センサによって得られたデータを解析する解析手段と、該解析手段によって解析された内容により前記記録システムによる記録状態を良好にするための回復動作を行う回復手段とをさらに備え、前記ユーザドキュメント領域は、前記回復手段によって回復動作が行われた後に前記記録媒体に記録されることを特徴とする請求項１に記載の記録システム。
【請求項６】
前記記録システムは複数の記録素子からインクをそれぞれ吐出するインクジェット記録ヘッドを用いて記録を行い、前記解析手段は前記センサによって得られた結果から吐出不良の記録素子の有無を判別し、吐出不良の記録素子が存在する場合には、前記回復手段は前記インクジェット記録ヘッドに対し回復動作を行うことを特徴とする請求項５に記載の記録システム。
【請求項７】
前記記録システムは複数の色のインクを吐出するインクジェット記録ヘッドを用いて記録を行い、前記解析手段は前記センサによって得られた結果から前記インクジェット記録ヘッドに混色が生じているか否かを判断し、混色が生じている場合には、前記回復手段は前記インクジェット記録ヘッドに対し回復動作を行うことを特徴とする請求項５に記載の記録システム。
【請求項８】
インクジェット記録装置と該インクジェット記録装置に画像データを供給するコンピュータとから構成されることを特徴とする請求項１乃至７のいずれかに記載の記録システム。
【発明の詳細な説明】
【０００１】
【発明の属する技術分野】
本発明は、ユーザドキュメントの一部にスポンサーの広告情報を配置して１枚の記録媒体に記録（以下印刷とも言う）する記録システムに関するものであり、特に記録品位を確認する為のテストパターンの記録に関するものである。
【０００２】
【従来の技術】
近年、小型で低価格な構成が実現できる記録装置として、インクジェット方式の記録装置が多く普及している。また、このようなインクジェット記録装置を記録手段とした記録システムにおいては、インターネットの普及などにより、実際にユーザが出力の対象としたユーザドキュメントの他に、スポンサーなどの広告を同時に同一の記録媒体に印刷する記録システムも普及し始めている。
【０００３】
上記インクジェット記録装置では、複数の記録素子で構成された記録ヘッドからインクを例えば滴として吐出し、記録媒体に画像を形成して行く。よって一般には、記録の品質を保つために、記録ヘッドの吐出量や記録位置に対し電気的な調整を行ったり、記録ヘッドの吐出部近傍に対し物理的な回復動作を行う制御がなされている。
【０００４】
記録ヘッドの電気的な調整項目としては、例えば記録ヘッドの記録主走査と記録ヘッドに対する記録媒体の副走査によって画像が形成されるシリアルプリンタであれば、双方向記録を行う場合の、往方向と復方向との記録位置ずれの補正が挙げられる。また、異なる複数の色のインクを吐出するカラーインクジェット記録装置の場合には、異なる色で形成されたドット間の位置の調整が必要となることもある。このような記録位置に関する補正は、記録ヘッドがインクを吐出するタイミングを調整すること等によって行われる。更に、記録ヘッドの個体差や色間または記録素子によって吐出量のばらつきが存在する場合には、各記録素子に与える電気量によって吐出量を調整し、記録媒体に形成されるドットの大きさを基準内に収める補正も行われている。
【０００５】
一方、物理的な回復動作が必要となる要因としては、記録素子のインク目詰まりによる吐出不良や、カラーインクジェット記録装置の吐出部における混色などが挙げられる。回復動作の種類としては、記録ヘッドの吐出部近傍にある所定量のインクを強制的に吸引排出したり、記録部の表面をワイピングする等の方法が挙げられる。
【０００６】
ところで、このような調整を行う場合、パラメータの最適値を求めるためのテストパターンを印刷し、ユーザがその印刷結果を見て、最適値を判断し、入力する、といった方法が一般に採られていた。また、回復動作においても、所定のテストパターンを印刷した後に、ユーザがその印刷結果を見て、どのような回復動作が必要であるかを判断し、回復動作を行う方法が採られていた。
【０００７】
しかし、上記のようなユーザの判断および操作では、操作自体が煩雑になったり、テストパターンの判断結果が不正確になる恐れがある。また、ユーザによっては調整処理を全く行わない場合もあり、充分に安定した出力が得られているとは言えなかった。
【０００８】
よって、このような問題に対し、インクジェット記録装置の本体にセンサを設け、印刷したテストパターンを読み取り解析することで、自動的に調整あるいは回復動作を行う方法も各種考案されている。
【０００９】
以上説明した様に、近年の一般的なインクジェット記録装置および記録システムにおいては、テストパターンを記録装置に記録させ、その出力画像をユーザが目視で判断したり、あるいはセンサで読みとることによって、記録装置の調整や回復動作を行い、記録状態を良好に保つことが可能となっていた。
【００１０】
【発明が解決しようとする課題】
しかしながら、上述した従来の記録装置あるいは記録システムによれば、ユーザの判断による方法であっても、また、自動で調整あるいは回復動作を行う方法であっても、テストパターンを印刷するために、新たに１枚（あるいはそれ以上）の記録媒体が消費されることになる。例えば、ユーザが実行中の印刷ジョブの内容を見てなんらかの異常を感じたとき、ユーザは実行中の印刷ジョブをキャンセルした後に、別の記録媒体にテストパターンを印刷する。この場合、印刷中の記録媒体も無駄になるが、さらにテストパターン印刷のためにも費やされて、ユーザは所望の印刷ジョブを出力するために、必要以上の記録媒体を消費しなくてはらないと言う問題があった。
【００１１】
本発明は上記の問題点を解決するためになされたものであり、その目的とするところは、ユーザドキュメントとスポンサーによる広告を同一の記録媒体に記録する記録システムにおいて、記録の品質不良を検出する為のテストパターン出力に対し、記録媒体の浪費を極力抑えることが可能な記録システムを提供することにある。
【００１２】
【課題を解決するための手段】
そのために本発明は、ユーザが印刷を所望する画像であるユーザドキュメントと広告とを同一の記録媒体に記録する記録システムにおいて、前記ユーザドキュメントの画像情報を取得するユーザドキュメント取得手段と、前記広告の画像情報を取得する広告情報取得手段と、前記記録媒体における前記広告を記録する広告領域と、、前記ユーザドキュメントを記録するユーザドキュメント領域とを配置するとともに、前記広告領域の一部あるいは該広告領域に隣接する領域に所定のテストパターンを記録するための空白領域を設定するレイアウト手段と、前記空白領域に前記所定のテストパターンを記録するテストパターン発生記録手段とを備えたことを特徴とする。
【００１３】
以上の構成によれば、ユーザドキュメントとスポンサーによる広告を同一の記録媒体に記録する記録システムにおいて、広告の記録領域の内部あるいはこれに隣接した領域にテストパターンを記録し、記録品位を調整した後に、同じ記録媒体にユーザドキュメントを記録することが出来るので、テストパターンのみの為に新たな記録媒体を必要とせず、記録媒体の浪費を極力抑えることが可能な記録システムを提供することが可能となる。
【００１４】
【発明の実施の形態】
以下、図面を参照して本発明の実施形態を説明する。
【００１５】
（実施形態１）
図１は本発明の第１の実施形態における記録システム１の構成を示すブロック図である。図１において、記録システム１は、ホストコンピュータ２とインクジェット記録装置３から構成されている。両者はインタフェースケーブル４によって接続されており、インクジェット記録装置３は、ホストコンピュータ２から送信される画像データにしたがって記録動作を行う。記録システム１においては、ユーザが所望する文書すなわちユーザドキュメントの他に、スポンサーの広告情報の印刷も併せて行う。
【００１６】
図２は本実施形態におけるインクジェット記録装置の構成を示す模式図である。図２において、３はインクジェット記録装置、５はガイドシャフト、６はキャリッジ、７は記録ヘッド、８はベルトおよび９はキャリッジモータである。キャリッジモータ９は、ベルト８を介して、キャリッジ６をガイドシャフト５に沿って矢印Ａ、Ｂ方向（主走査方向）に往復移動させる。キャリッジ６の上には、ブラック、シアン、マゼンタおよびイエローのインクをそれぞれ吐出する記録ヘッド７が主走査方向に並列して搭載されており、キャリッジ６の移動走査に合わせて、適切なタイミングでインクの吐出を行う。記録ヘッド７の１走査分の記録が完了する毎に、搬送モータ１２は搬送ローラ１３を駆動し、記録媒体１１を矢印Ｃ方向（副走査方向）に規定量ずつ搬送する。そして、この記録ヘッド７の記録走査と記録媒体１１の搬送とを順次繰り返すことにより、記録媒体１１に１ページ分の画像が形成されていく。
【００１７】
キャリッジ６上の記録ヘッド７が並ぶ位置には、センサ１０が設けられており、キャリッジ６を移動しながらセンサ１０で監視することで、記録ヘッド７の記録した画像を読み取ることができる。
【００１８】
また、記録媒体１１から矢印Ａ方向に外れた位置には、回復機構１４が設けられている。回復機構１４は、記録ヘッド７が回復機構１４と対向する場所に位置した状態で駆動することにより、記録ヘッド７内のインクを吸引し、記録素子の目詰まりを取り除いたり、異なる色のインクによる混色を除去すること等ができる。
【００１９】
図３は本実施形態におけるインクジェット記録装置３の制御系の構成を示すブロック図である。
【００２０】
図３において、１５はマイクロプロセッサ形態のＣＰＵ、１７はＲＯＭ形態のプログラムメモリ、１８はＲＡＭ形態のデータメモリ、および１６はこれらを接続する内部バスである。プログラムメモリ１７には、ＣＰＵ１５を制御するための制御プログラムが格納されており、ＣＰＵ１５は、この制御プログラムおよびデータメモリ１８に格納された内容に従って動作を行う。
【００２１】
２はホストコンピュータであり、インタフェース制御回路１９からインタフェースケーブル４を介してインクジェット記録装置３に接続されている。ＣＰＵ１５は、ホストコンピュータ２より受信した画像データを、データメモリ１８内の記録バッファメモリ２０に色毎に展開する。また、記録バッファメモリ２０にはプログラムメモリ１７にあらかじめ記憶されたテストパターンを書きこむことも可能である。
【００２２】
記録バッファメモリ２０に展開された各色の画像データは、ヘッド制御回路２１を介して記録ヘッド７へ送られ、記録ヘッド７に備えられた各記録素子は、ヘッド制御回路２１の駆動信号に従ってインクを吐出する。一方、ＣＰＵ１５は、モータ制御回路２２を介してキャリッジモータ９、搬送モータ１２および回復機構駆動モータ２３を制御することが可能である。そして、記録ヘッド７による記録に合わせて、キャリッジモータ９を駆動することで１走査分の記録を行い、その後搬送モータ１２を駆動することで記録媒体１１を所定量搬送する。
【００２３】
また、キャリッジ６に設けられたセンサ１０からの信号は、センサ回路２４を通じて受信し、データメモリ１８内の読取バッファメモリ２５に格納される。
【００２４】
図４は、本実施形態における記録画像のレイアウト例を示したものである。本実施形態では、記録媒体１１内の記録可能領域２６において、ユーザドキュメント領域２９の上に、即ちユーザドキュメントに先立って広告領域２７を記録している。そして、更に広告領域２７の枠内にテストパターンを記録するための空白領域２８を設けている。尚、図中各領域を示す枠線は説明の都合上図示したものであり、枠線を記録することを表しているわけではない。
【００２５】
図５は本実施形態におけるホストコンピュータ２の処理内容を示すフローチャートである。
【００２６】
ホストコンピュータ２は１ページ記録開始に先立ち、そのページが広告入りの画像を印刷するものであるかどうかを判断する（ステップＳ１０１）。
【００２７】
広告入りの画像であった場合は、あらかじめ定められた手順で広告情報を取得し（ステップＳ１０２）、取得した広告情報を印刷するに必要な面積を算出し、広告領域２７を決定する（ステップＳ１０３）。尚、ここでは広告情報を取得する具体的な方法についての詳細な説明は省略するが、あらかじめホストコンピュータ２に記憶されているものを取得する方法でも良く、またインターネット等に接続されている場合はインターネット経由で取得する方法でも構わない。
【００２８】
次に、広告領域２７に隣接する領域あるいは広告領域２７内の一部に、テストパターンを記録するに必要な面積を算出して空白領域２８として決定し、空白領域２８の左上座標を（Ｘ，Ｙ）として算出する（ステップＳ１０４）。
【００２９】
算出した座標（Ｘ，Ｙ）は空白領域位置情報としてインクジェット記録装置３へ送信する（ステップＳ１０５）。
【００３０】
次に、広告領域２７およびユーザドキュメント領域２９の記録データを展開生成し（ステップＳ１０６）、記録データをインクジェット記録装置３へ送信する（ステップＳ１０７）。
【００３１】
一方、ステップＳ１０１において広告入り画像では無いと判定された場合には、ステップＳ１０８へ進み、記録可能領域２６の全てをユーザドキュメント領域２９とし、ユーザドキュメント領域２９のみの記録データを展開した後、ステップＳ１０７へ進み、記録データをインクジェット記録装置３へ送信する。
【００３２】
以上のステップＳ１０１からステップＳ１０８をページ数分繰り返す（ステップＳ１０９）ことにより印刷処理が終了する。
【００３３】
図６は本実施形態におけるインクジェット記録装置３の処理内容を示すフローチャートである。インクジェット記録装置３は１ページ記録開始に先立ち、空白領域位置座標を記憶する変数（Ｘ，Ｙ）をクリアしておく（ステップＳ２０１）。
【００３４】
次に、ホストコンピュータ２から空白領域位置情報を受信しているかどうかを調べ（ステップＳ２０２）、受信していた場合は空白領域位置情報を取得し、その座標を変数（Ｘ，Ｙ）に記憶する（ステップＳ２０３）。空白領域位置情報を受信していなかった場合はそのままステップＳ２０４へ進む。
【００３５】
次に、１バンド分すなわち記録ヘッド７の１走査分の記録データを受信し（ステップＳ２０４）、１バンド分の記録走査を行う（ステップＳ２０５）。
【００３６】
ここでインクジェット記録装置３は、記録走査を行った領域が空白領域２８を含んでいるかどうかを調べ（ステップＳ２０６）、空白領域２８を含んでいる場合には、あらかじめ定められたテストパターンを展開して空白領域２８にテストパターンの記録を行う（ステップＳ２０７）。
【００３７】
図７は、ステップＳ２０７で記録するテストパターンの例を示す図である。本実施形態では、記録ヘッド７が記録する各色間の主走査方向の位置ずれを自動補正するものとする。
【００３８】
図７において、空白領域２８の上半部にはブラックのヘッドのみを使用してパターンを記録する。ここでは、１ドット幅の縦線を３箇所に数本ずつ記録している。空白領域２８の下半部にはシアン、マゼンタおよびイエローを吐出する各ヘッドによって、それぞれ１箇所ずつ図のようなパターンを記録する。各色の記録位置は、副走査方向に対し、ブラックヘッドで記録する縦線と設計上同位置となる箇所となっている。
【００３９】
図６のステップＳ２０８では、ステップＳ２０７で記録したパターンに対し、その記録結果の読み取り動作を行う。実際には、キャリッジ６を主走査方向に移動させながら図７のＤおよびＥの矢印で示した線上をセンサ１０で読み取る。読み取った結果、ＤおよびＥそれぞれの濃度のピークレベルの位置を比較することにより、ブラックヘッドに対する、シアン、マゼンタおよびイエローの各ヘッドの製造上の位置ずれが検出できる。その後、ＣＰＵ１５は、ここで検出された位置ずれ量から、各色の記録ヘッド４の記録時のタイミング補正値を求め、装置本体に記録ヘッド駆動制御パラメータとして更新する（ステップＳ２０９）。
【００４０】
上記のステップＳ２０４からステップＳ２０９を１ページの記録が終了するまで繰り返す（ステップＳ２１０）。
【００４１】
更に、全ページの記録が終了するまで上記のステップＳ２０１からステップＳ２１０を繰り返す（ステップＳ２１１）。
【００４２】
以上説明した様に本実施形態によれば、ユーザドキュメント領域２９内のレイアウトを崩すことなく、なおかつ無駄な記録媒体１１を消費することなく、自動的に記録ヘッド７の主走査方向の記録位置ずれの補正を行うことが可能となる。また、テストパターンが記録される空白領域２８は、ユーザドキュメント領域２９よりも先に記録される領域に配置されるため、ユーザドキュメント領域２９を記録する前に上記位置ずれの補正が完了してしまう。したがって、ユーザドキュメント領域２９については、位置ずれ補正が完了した良好な状態で、記録を行うことが可能となる。
【００４３】
尚、以上の説明においては、記録ヘッド４の主走査方向の記録位置ずれを自動調整する例を説明して来たが、本実施形態はこれに限定されるものではない。例えば、双方向記録時の往方向と復方向とでの記録位置ずれや、記録ヘッド７の各色間あるいは記録素子間の吐出量ばらつきを補正することも可能である。双方向記録時の記録位置ズレを補正する場合、往路でのパターンと復路でのパターンをそれぞれ記録し、センサ１０によって両者のズレ量を測定すればよい。また、各色間あるいは記録素子間の吐出量ばらつきを補正する場合には、濃度やドットの大きさ等、吐出量のばらつきが判別できるパターンを記録し、やはりセンサ１０によって読み取り、解析できるようにしてもよい。無論、上記で述べた複数のパラメータが同時に調整出来るように、複数のテストパターンを同時に同一記録媒体に記録し、夫々のパラメータに対し補正値を求める構成にしてもよい。いずれにしても、ユーザドキュメントの領域より前に広告領域およびこれに含まれるテストチャートを記録し、これをセンサで読み取り解析することにより、次回もしくは広告領域につづくユーザドキュメント領域の記録の為の各種パラメータの調整を行う構成であれば、本実施形態は有効となるのである。
【００４４】
（実施形態２）
以下に本発明の第２の実施形態を説明する。本実施形態においても第１の実施形態で説明したインクジェット記録装置を適用するものとする。すなわち、実施形態１と同様に、図１〜図４で説明した記録装置の構成および図５で説明したホストコンピュータ２の処理を行うものとする。但し、実施形態１では記録ヘッドの記録位置を補正する為のテストパターンを出力し、これを読み取り記録時に補正をかける方法を示したが、本実施形態においては、記録ヘッドの吐出不良を検知し、回復動作を自動で行うものとする。
【００４５】
図８は本実施形態におけるインクジェット記録装置３の処理内容を示すフローチャートである。インクジェット記録装置３は１ページ記録開始に先立ち、空白領域位置座標を記憶する変数（Ｘ，Ｙ）をクリアしておく（ステップＳ３０１）。
【００４６】
次に、ホストコンピュータ２から空白領域位置情報を受信しているかどうかを調べ（ステップＳ３０２）、受信していた場合は空白領域位置情報を取得し、その座標を変数（Ｘ，Ｙ）に記憶する（ステップＳ３０３）。空白領域位置情報を受信していなかった場合はそのままステップＳ３０４へ進む。
【００４７】
次に、１バンド分すなわち記録ヘッド７の１走査分の記録データを受信し（ステップＳ３０４）、１バンド分の記録走査を行う（ステップＳ３０５）。
【００４８】
ここでインクジェット記録装置３は、記録走査を行った領域がが空白領域２８を含んでいるかどうかを調べ（ステップＳ３０６）、空白領域２８を含んでいる場合には、あらかじめ定められたテストパターンを展開して空白領域２８にテストパターンの記録を行う（ステップＳ３０７）。
【００４９】
図９は、ステップＳ３０７で記録するテストパターンの例を示す図である。本実施形態では、記録ヘッド７に具えられた全記録素子の吐出不良を検出するため、ブラック、シアン、マゼンタおよびイエロー各色について、夫々の記録素子で図のような規則的な階段状のパターンを記録する。もしも記録素子の１つが不吐出であった場合には、階段パターンの１つの段が欠落している状態となる。
【００５０】
図８のステップＳ３０８では、図９で示したパターンに対し、その記録結果の読み取り動作を行う。実際には、キャリッジ６を主走査方向に移動させながら図９のパターンをセンサ１０で読み取り、各色各記録素子で記録したエリアの濃度変化を検出する。そして、該当する記録素子の記録状態を判断する。読み取った結果、階段パターンに欠落した段を検出したり、段のピッチが大幅にずれている個所が確認された場合、記録ヘッド７に吐出不良の記録素子が存在することになる。
【００５１】
ステップＳ３０９では、ステップＳ３０８での解析結果に基づき、インクジェット記録ヘッドの回復動作が必要か否かを判断する。そして、必要である場合には回復動作を実行する（ステップＳ３１０）。回復が必要でない場合には、そのままステップＳ３１１へ進む。
【００５２】
上記のステップＳ３０４からステップＳ３１０を１ページの記録が終了するまで繰り返す（ステップＳ３１１）。
【００５３】
更に、全ページの記録が終了するまで上記のステップＳ３０１からステップＳ３１１を繰り返す（ステップＳ３１２）。
【００５４】
以上説明した様に本実施形態によれば、ユーザドキュメント領域２９内のレイアウトを崩すことなく、なおかつ無駄な記録媒体１１を消費することなく、自動的に記録ヘッド７の吐出不良の記録素子に対し回復動作を行うことが可能となる。また、テストパターンが記録される空白領域２８は、ユーザドキュメント領域２９よりも先に記録される領域に配置されるため、ユーザドキュメント領域２９を記録する前に記録素子の回復が完了してしまう。したがって、ユーザドキュメント領域２９については、回復動作が完了した良好な状態で、記録を行うことが可能となる。
【００５５】
尚、本実施形態においては、インクジェット記録ヘッド７の吐出不良を検出した場合に回復動作を行う場合を説明したが、本実施形態はこれに限定されるものではない。その他の要因、例えば記録ヘッド７における混色を検知する為のパターンを記録し、これをセンサ１０で読み取ることによって、回復動作の必要性を判断することも可能である。無論、上述した吐出不良と混色とをそれぞれ判別可能な複数のパターンを記録して判断しても本実施形態は有効である。
【００５６】
更に、以上説明した２つの実施形態では記録を行う際のパラメータ調整と、記録ヘッドの信頼性を保証する為の回復動作とを、それぞれ実施形態を分けて説明して来たが、本発明においては、これらを共に行うことも可能である。テストパターンにより検出する項目、また調整や回復動作などのメンテナンスの内容を適宜変更することもできる。
【００５７】
また、上記の実施形態においては、テストパターンの記録結果を、センサ７で読み取って解析し、この結果に基づいて自動的に調整あるいは回復動作を行っているが、本発明はこの方法に限定されるものでもない。従来の技術でも説明した様に、ユーザがテストパターンの記録結果を見て判断し、インクジェット記録装置上に設けられた操作パネルやホストコンピュータ２上で調整値等を入力する形態であってもよい。
【００５８】
さらに、上記の実施形態では、ホストコンピュータ２とインクジェット記録装置３とをそれぞれ独立させたシステムとして説明を加えてきたが、本発明はこれに限ったものではない。記録する情報すなわち、ユーザドキュメントや広告の画像データがどのような形で記録する手段に供給される形であったとしても、その供給源および記録手段を含めた記録システムが成り立っていれば本発明は有効なのである。
【００５９】
また、上記の実施形態においては、シリアル型のインクジェット記録装置を例に説明して来たが、本発明はこの構成に限定されるものでもない。シリアル型の記録装置でなくても、またインクジェット方式の記録装置でなくても、記録のための調整や回復動作のようなメンテナンス処理が施されるような構成であれば本発明は有効となるのである。
【００６０】
【発明の効果】
以上説明したように、本発明によれば、ユーザドキュメントとスポンサーによる広告を同一の記録媒体に記録する記録システムにおいて、広告の記録領域の内部あるいはこれに隣接した領域にテストパターンを記録し、記録品位を調整した後に、同じ記録媒体にユーザドキュメントを記録することが出来るので、テストパターンのみの為に新たな記録媒体を必要とせず、記録媒体の浪費を極力抑えることが可能な記録システムを提供することが可能となった。
【図面の簡単な説明】
【図１】本発明の第１の実施形態におけるインクジェット記録システムの構成を示すブロック図である。
【図２】本発明の第１の実施形態におけるインクジェット記録装置の構成を示す模式図である。
【図３】本発明の第１の実施形態におけるインクジェット記録装置の制御系の構成を示すブロック図である。
【図４】本発明の第１の実施形態における記録のレイアウト例を示す図である。
【図５】本発明の第１の実施形態におけるホストコンピュータの処理内容を示すフローチャートである。
【図６】本発明の第１の実施形態におけるインクジェット記録装置の処理内容を示すフローチャートである。
【図７】本発明の第１の実施形態におけるテストパターンの例を示す図である。
【図８】本発明の第２の実施形態におけるインクジェット記録装置の処理内容を示すフローチャートである。
【図９】本発明の第２の実施形態におけるテストパターンの例を示す図である。
【符号の説明】
１　記録システム
２　ホストコンピュータ
３　インクジェット記録装置
４　インタフェースケーブル
５　ガイドシャフト
６　キャリッジ
７　記録ヘッド
８　ベルト
９　キャリッジモータ
１０　センサ
１１　記録媒体
１２　搬送モータ
１３　搬送ローラ
１４　回復機構
１５　ＣＰＵ
１６　内部バス
１７　プログラムメモリ
１８　データメモリ
１９　インタフェース制御回路
２０　記録バッファメモリ
２１　ヘッド制御回路
２２　モータ制御回路
２３　回復機構駆動モータ
２４　センサ回路
２５　読取バッファメモリ
２６　記録可能領域
２７　広告領域
２８　空白領域
２９　ユーザドキュメント領域
【図１】
2004106415.tif 000003
【図２】
2004106415.tif 000004
【図３】
2004106415.tif 000005
【図４】
2004106415.tif 000006
【図５】
2004106415.tif 000007
【図６】
2004106415.tif 000008
【図７】
2004106415.tif 000009
【図８】
2004106415.tif 000010
【図９】
2004106415.tif 000011